(57)【要約】【課題】棚板を設けて収納性を向上させる場合にも、高い施工性を得ることができるキッチンキャビネットを提供する。【解決手段】システムキッチンに組み込まれて使用されるキッチンキャビネットであって、一対の側板を有し、前記一対の側板の間に収納空間が設けられたキャビネット本体と、前記一対の側板に支持された状態で前記収納空間内に取り付けられる棚板と、を備え、前記棚板は、第１板部と、前記第１板部の後方に設けられる第２板部と、前記第１板部と前記第２板部とを連結する連結部と、を有し、前記第１板部及び前記第２板部を前後方向に分割可能であることを特徴とするキッチンキャビネットである。【選択図】図１
2019130076.tif 000002
【特許請求の範囲】
【請求項１】
システムキッチンに組み込まれて使用されるキッチンキャビネットであって、
一対の側板を有し、前記一対の側板の間に収納空間が設けられたキャビネット本体と、
前記一対の側板に支持された状態で前記収納空間内に取り付けられる棚板と、
を備え、
前記棚板は、第１板部と、前記第１板部の後方に設けられる第２板部と、前記第１板部と前記第２板部とを連結する連結部と、を有し、前記第１板部及び前記第２板部を前後方向に分割可能であることを特徴とするキッチンキャビネット。
【請求項２】
前記棚板は、前記第１板部と前記第２板部との位置を合わせるための連結ガイドを、さらに有することを特徴とする請求項１記載のキッチンキャビネット。
【請求項３】
前記収納空間内に設けられ、鉛直方向に延びる配管の前方及び側方を覆う配管カバーを、さらに備え、
前記配管カバーは、前記棚板の荷重を受ける荷重受け部を有することを特徴とする請求項１又は２に記載のキッチンキャビネット。
【請求項４】
前記第２板部は、前方に向かうに従って下降傾斜する傾斜部を前端上部に有することを特徴とする請求項１〜３のいずれか１つに記載のキッチンキャビネット。
【請求項５】
前記第１板部は、後方に向かうに従って下降傾斜する傾斜部を後端上部に有することを特徴とする請求項１〜４のいずれか１つに記載のキッチンキャビネット。
【発明の詳細な説明】
【技術分野】
【０００１】
本発明の態様は、一般的に、キッチンキャビネットに関する。
【背景技術】
【０００２】
システムキッチンに組み込まれて使用されるキッチンキャビネットにおいて、収納空間を有効的に活用することが求められている（例えば、特許文献１）。そこで、収納空間内に棚板を設けることで、より多くの物品を収納空間内に載置できるようにすることが考えられている。
【０００３】
また、一方で、キッチンキャビネットにおいては、給水管、排水管、及びガス管など、鉛直方向に延びる配管を収納空間内に設ける場合がある。この場合、略水平に取り付けられる棚板を収納空間内に設けるためには、配管を避けるための切り欠きなどを棚板の後端部分などに設ける必要がある。
【０００４】
しかしながら、配管の位置は、システムキッチンを据え付ける現場によって異なる。このため、収納空間内に配管が設けられたキッチンキャビネットに対して棚板を設ける場合には、配管を避けるための凹状の切り欠きなどを棚板に対して現場で加工しければならず、施工性の低下を招いてしまう。このため、キッチンキャビネットにおいては、棚板を設けて収納性を向上させる場合にも、高い施工性を得られるようにすることが望まれる。
【先行技術文献】
【特許文献】
【０００５】
【特許文献１】特開２００５−４０３７０号公報
【発明の概要】
【発明が解決しようとする課題】
【０００６】
本発明は、かかる課題の認識に基づいてなされたものであり、棚板を設けて収納性を向上させる場合にも、高い施工性を得ることができるキッチンキャビネットを提供することを目的とする。
【課題を解決するための手段】
【０００７】
第１の発明は、システムキッチンに組み込まれて使用されるキッチンキャビネットであって、一対の側板を有し、前記一対の側板の間に収納空間が設けられたキャビネット本体と、前記一対の側板に支持された状態で前記収納空間内に取り付けられる棚板と、を備え、前記棚板は、第１板部と、前記第１板部の後方に設けられる第２板部と、前記第１板部と前記第２板部とを連結する連結部と、を有し、前記第１板部及び前記第２板部を前後方向に分割可能であることを特徴とするキッチンキャビネットである。
【０００８】
このキッチンキャビネットによれば、棚板が前後方向に分割可能であるため、収納空間内に鉛直方向に延びる配管が設けられている場合にも、例えば、第２板部を配管の位置に合わせて切断し、その後連結部によって第１板部と第２板部とを連結するだけで、棚板の取り付けが可能となる。あるいは、第２板部を取り外すだけで棚板の取り付けが可能となる。このように、第２板部を直線状に切断するという簡単な加工、又は第２板部を取り外すだけという簡単な作業で、棚板の取り付けを行うことができ、現場での作業を簡単にすることができる。従って、棚板を設けて収納性を向上させる場合にも、高い施工性を得ることができるキッチンキャビネットを提供することができる。
【０００９】
第２の発明は、第１の発明において、前記棚板は、前記第１板部と前記第２板部との位置を合わせるための連結ガイドを、さらに有することを特徴とするキッチンキャビネットである。
【００１０】
このキッチンキャビネットによれば、棚板が連結ガイドをさらに有するため、第１板部と第２板部とを連結する際に、第１板部と第２板部との位置関係がずれてしまうことを抑制することができる。従って、キッチンキャビネットの施工性をより向上させることができる。
【００１１】
第３の発明は、第１又は第２の発明において、前記収納空間内に設けられ、鉛直方向に延びる配管の前方及び側方を覆う配管カバーを、さらに備え、前記配管カバーは、前記棚板の荷重を受ける荷重受け部を有することを特徴とするキッチンキャビネットである。
【００１２】
このキッチンキャビネットによれば、配管カバーが棚板の荷重を受ける荷重受け部を有するため、例えば、配管を避けるために第２板部の一端を切断し、第２板部の切断された側の端部の荷重を側板で受けることができない場合であっても、配管カバーの荷重受け部で第２板部の荷重を受けることが可能になる。あるいは、第２板部を取り外した後の第１板部の荷重を側板で受けることができない場合であっても、配管カバーの荷重受け部で第１板部の荷重を受けることが可能になる。従って、棚板が収納物の重さで落下したり、変形したりしてしまうことを抑制することができる。
【００１３】
第４の発明は、第１〜第３のいずれか１つの発明において、前記第２板部は、前方に向かうに従って下降傾斜する傾斜部を前端上部に有することを特徴とするキッチンキャビネットである。
【００１４】
このキッチンキャビネットによれば、第２板部の前端上部に前方に向かうに従って下降傾斜する傾斜部を設けたことにより、第１板部と第２板部とを連結部で連結した際に、第２板部が第１板部よりも高くなるように段差が生じた場合にも、収納物が段差に引っ掛かることを抑制し、収納物をスムーズに出し入れすることができる。
【００１５】
第５の発明は、第１〜第４のいずれか１つの発明において、前記第１板部は、後方に向かうに従って下降傾斜する傾斜部を後端上部に有することを特徴とするキッチンキャビネットである。
【００１６】
このキッチンキャビネットによれば、第１板部の後端上部に後方に向かうに従って下降傾斜する傾斜部を設けたことにより、第１板部と第２板部とを連結部で連結した際に、第１板部が第２板部よりも高くなるように段差が生じた場合にも、収納物が段差に引っ掛かることを抑制し、収納物をスムーズに出し入れすることができる。
【発明の効果】
【００１７】
本発明の態様によれば、棚板を設けて収納性を向上させる場合にも、高い施工性を得ることができるキッチンキャビネットが提供される。
【図面の簡単な説明】
【００１８】
【図１】実施形態に係るシステムキッチン及びキッチンキャビネットを模式的に表す斜視図である。
【図２】図２（ａ）及び図２（ｂ）は、実施形態に係るシステムキッチンの一部を模式的に表す正面図及び側面図である。
【図３】図３（ａ）〜図３（ｃ）は、実施形態に係るキッチンキャビネットを模式的に表す斜視図である。
【図４】図４（ａ）〜図４（ｃ）は、実施形態に係る棚板を模式的に表す斜視図及び断面図である。
【図５】実施形態に係るキッチンキャビネットの変形例を模式的に表す斜視図である。
【図６】図６（ａ）及び図６（ｂ）は、実施形態に係る棚板の変形例を模式的に表す平面図である。
【図７】図７（ａ）及び図７（ｂ）は、実施形態に係る連結ガイドの変形例を模式的に表す断面図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係るシステムキッチン及びキッチンキャビネットを模式的に表す斜視図である。  
図２（ａ）及び図２（ｂ）は、実施形態に係るシステムキッチンの一部を模式的に表す正面図及び側面図である。  
図１、図２（ａ）及び図２（ｂ）に表したように、システムキッチン１０は、カウンタ１２と、シンク１４と、キャビネット部１６と、を有する。システムキッチン１０は、例えば、キッチン及びリビング（ダイニング）と対面して設置される対面式のシステムキッチンである。
【００２０】
以下、本願明細書においては、キッチン側に立ち、リビング側を向くようにシステムキッチン１０と対面する使用者からみた上方、下方、前方、後方、右側方、及び左側方を、それぞれ「上方」、「下方」、「前方」、「後方」、「右側方」、及び「左側方」とする。
【００２１】
カウンタ１２は、上面１２ａを有する。カウンタ１２は、例えば、上面視において略長方形の平板状である。カウンタ１２は、例えば、上面１２ａが略水平となるように設置される。カウンタ１２の上面１２ａが略水平な状態とは、例えば、上面１２ａの高低差が２ｍｍ以内の状態である。カウンタ１２の少なくとも上面１２ａの部分には、例えば、ステンレス、人工大理石、又は人造大理石などが用いられる。
【００２２】
シンク１４は、カウンタ１２に設けられている。シンク１４は、カウンタ１２の上面１２ａよりも下方に凹む。シンク１４内、又はカウンタ１２のシンク１４の周辺には、水栓１８が設けられる。水栓１８は、システムキッチン１０に取り付けて使用される。水栓１８は、例えば、シンク１４の前方側に設けられる。水栓１８は、シンク１４内に向けて湯水を吐水する。換言すれば、シンク１４は、水栓１８から吐水された湯水を受ける。また、シンク１４は、水栓１８などから受けた湯水を排水管などを介して外部に排出する。
【００２３】
カウンタ１２は、コンロ２０を取り付けるための開口部１２ｂを有する。コンロ２０は、システムキッチン１０に取り付けて使用される。コンロ２０は、例えば、ガスコンロ、電気コンロ、又は電磁調理器などである。
【００２４】
また、カウンタ１２は、調理やシンク１４で洗った食器の片付けなどの種々の作業を行うための作業スペース１２ｃをさらに有する。作業スペース１２ｃは、例えば、シンク１４とコンロ２０（開口部１２ｂ）との間に設けられる。すなわち、この例では、カウンタ１２の右端側にシンク１４が配置され、カウンタ１２の左端側にコンロ２０が配置され、カウンタ１２の中央付近に作業スペース１２ｃが配置されている。シンク１４、コンロ２０、及び作業スペース１２ｃの配置は、上記に限ることなく、任意の配置でよい。例えば、シンク１４をカウンタ１２の中央付近に配置してもよいし、コンロ２０をカウンタ１２の中央付近に配置してもよい。
【００２５】
キャビネット部１６は、カウンタ１２を支持する。また、キャビネット部１６は、例えば、コンロ２０を支持する。キャビネット部１６は、内部に収納空間を有し、キッチン用品などの物品を収納可能とする。キャビネット部１６は、建築の床面に設置される。カウンタ１２、シンク１４、及びコンロ２０などは、キャビネット部１６を介して建築の床面に設置される。キャビネット部１６は、いわゆるフロアキャビネットである。
【００２６】
また、システムキッチン１０は、例えば、収納部２２をさらに備える。収納部２２は、カウンタ１２の前方に設けられ、カウンタ１２の上面１２ａよりも上方に延びる。収納部２２は、例えば、背板部２２ａと、上板部２２ｂと、を有する。背板部２２ａは、上面１２ａよりも上方に向かって延びる。上板部２２ｂは、背板部２２ａの上端から後方に向かって延びる。これにより、背板部２２ａ及び上板部２２ｂは、後方側（キッチン側）を向く収納空間２２ｃをカウンタ１２の前方に形成する。収納部２２は、後方側を向く収納空間２２ｃを有する。
【００２７】
このように、収納部２２を設けることにより、食器などの物品を収納部２２の収納空間２２ｃ内に収納することができ、システムキッチン１０の収納性及び使い勝手をより向上させることができる。また、キッチン側とリビング側との開放感を保ちつつ、乱雑になりがちなカウンタ１２の上面１２ａやシンク１４内などをリビング側から見え難くすることができる。さらには、水などがリビング側にこぼれてしまうことを抑制することもできる。
【００２８】
この例において、システムキッチン１０は、いわゆるハイステップ型の対面式のシステムキッチンである。キャビネット部１６は、カウンタ１２を支持するとともに、収納部２２を支持する。但し、収納部２２は、必要に応じて設けられ、省略可能である。
【００２９】
キャビネット部１６は、例えば、６つのキッチンキャビネット１０１〜１０６を有する。キッチンキャビネット１０１〜１０６は、システムキッチン１０に組み込まれて使用される。キッチンキャビネット１０１〜１０３は、前方（リビング側）に向けて設けられる。本願明細書において、「前方」は、換言すれば、キッチンキャビネット１０１〜１０３の向く方向である。キッチンキャビネット１０４〜１０６は、後方（キッチン側）に向けて設けられる。
【００３０】
なお、図２（ａ）及び図２（ｂ）では、便宜的に前方側のキッチンキャビネット１０１〜１０３の図示を省略している。また、以下では、簡単化のため、キッチンキャビネット１０１〜１０６をキャビネット１０１〜１０６と称す。
【００３１】
このように、対面式のシステムキッチン１０において、キッチン側及びリビング側のそれぞれにキャビネット１０１〜１０６を設けることにより、キッチン側からもリビング側からも物品を収納できるようになり、システムキッチン１０の使い勝手を向上させることができる。
【００３２】
また、例えば、キッチン側のみにキャビネットを設けた場合には、キャビネットの奥側の空間が利用し辛くなってしまう可能性がある。これに対して、キッチン側及びリビング側のそれぞれにキャビネット１０１〜１０６を設け、各キャビネット１０１〜１０６の前後方向の長さを短くすることで、各キャビネット１０１〜１０６において奥まった空間を少なくし、キャビネット部１６の収納空間を有効活用し易くすることができる。
【００３３】
キャビネット１０４〜１０６は、カウンタ１２を支持する。キャビネット１０４は、コンロ２０の下方に設けられる。キャビネット１０４は、コンロ２０を支持する。キャビネット１０４は、例えば、コンロ２０を取り付けるためのコンロ台を有する。キャビネット１０４は、換言すれば、コンロ用キャビネットである。
【００３４】
キャビネット１０５は、作業スペース１２ｃの下方に設けられる。キャビネット１０５は、カウンタ１２の作業スペース１２ｃの下方を支持する。キャビネット１０５は、換言すれば、作業スペース用キャビネットである。
【００３５】
キャビネット１０６は、シンク１４の下方に設けられる。カウンタ１２の上面１２ａよりも下方に凹むシンク１４の一部は、キャビネット１０６内に収納される。キャビネット１０６は、シンク１４の一部を内部に収納しつつ、カウンタ１２を支持する。キャビネット１０６は、換言すれば、シンク用キャビネットである。
【００３６】
キャビネット１０１〜１０３は、収納部２２を支持する。例えば、収納部２２を省略した場合には、各キャビネット１０１〜１０６のそれぞれでカウンタ１２を支持してもよい。また、収納部２２は、キャビネット１０４〜１０６で支持してもよい。
【００３７】
キャビネット１０１は、コンロ２０用のキャビネット１０４と背中合わせに、キャビネット１０４の前方に設けられる。キャビネット１０２は、作業スペース１２ｃ用のキャビネット１０５と背中合わせに、キャビネット１０５の前方に設けられる。キャビネット１０３は、シンク１４用のキャビネット１０６と背中合わせに、キャビネット１０６の前方に設けられる。
【００３８】
このように、前方側のキャビネット１０１〜１０３は、後方側のキャビネット１０４〜１０６のそれぞれに対応して設けられる。但し、キャビネット部１６の構成は、上記の構成に限定されるものではない。例えば、前方側に設けられるキャビネットの数は、後方側に設けられるキャビネットの数と異なってもよい。また、キャビネット部１６は、複数のキャビネット１０１〜１０６を組み合わせる構成に限ることなく、例えば、各キャビネット１０１〜１０６を一体的にした１つのキャビネットで構成してもよい。換言すれば、キャビネット部１６自体を１つのキッチンキャビネットとしてもよい。
【００３９】
前方側のキャビネット１０１〜１０３の前後方向の長さＬ１は、後方側のキャビネット１０４〜１０６の前後方向の長さＬ２よりも短い。これにより、例えば、システムキッチン１０の収納性や使い勝手を向上させつつ、システムキッチン１０の前後方向の長さが、過度に長くなってしまうことを抑制することができる。
【００４０】
前方側のキャビネット１０１〜１０３と後方側のキャビネット１０４〜１０６との間には、例えば、ガス管４０、排水管４２、給水管４４、及び給湯管４６などの複数の配管が設けられる。キャビネット１０１〜１０３とキャビネット１０４〜１０６との間には、僅かに隙間が設けられ、各配管の少なくとも一部は、この隙間に設けられる。これにより、例えば、各配管が、キャビネット１０１〜１０６の収納空間内に露出してしまうことを抑制し、システムキッチン１０の見栄えを向上させることができる。
【００４１】
ガス管４０は、コンロ用のキャビネット１０４とキャビネット１０１との間に設けられる。ガス管４０は、金属材料などからなる硬質な配管である。ガス管４０は、少なくとも自重では実質的に変形しない。ガス管４０は、例えば、鋼管である。ガス管４０は、鉛直方向（上下方向）に延びる。ガス管４０は、例えば、鉛直方向に延びる第１部分４０ａと、第１部分４０ａの上端から後方に延びる第２部分４０ｂと、を有し、第２部分４０ｂにおいてキャビネット１０４内に入り込み、コンロ２０と接続される。これにより、ガス管４０は、コンロ２０にガスを供給する。ガス管４０は、コンロ２０をガスコンロとした場合に必要となる。コンロ２０を電気コンロ又は電磁調理器とした場合には、ガス管４０は、省略可能である。
【００４２】
なお、「鉛直方向に延びる」とは、厳密に鉛直方向と平行に延びるものに限定されるものではない。本願明細書において、「鉛直方向に延びる」には、鉛直方向と非平行な状態で鉛直方向に延びる成分を有するものも含まれるものとする。第１部分４０ａは、少なくとも鉛直方向に延びる成分を有していればよい。すなわち、第１部分４０ａは、水平方向と平行な方向のみに延びるものでなければよい。
【００４３】
図３（ａ）〜図３（ｃ）は、実施形態に係るキッチンキャビネットを模式的に表す斜視図である。  
図３（ａ）〜図３（ｃ）に表したように、キャビネット１０１は、キャビネット本体１１０と、棚板１２０と、配管カバー１３０と、扉１４０と、を備える。なお、図３（ｂ）は、扉１４０を取り外した状態を便宜的に表している。図３（ｃ）は、棚板１２０及び配管カバー１３０を斜め下方から見た状態を模式的に表している。
【００４４】
キャビネット本体１１０は、一対の側板１１１、１１２を有する。キャビネット本体１１０は、一対の側板１１１、１１２の間に設けられた収納空間ＳＳを有し、収納空間ＳＳ内にキッチン用品などの物品を収納可能とする。
【００４５】
キャビネット本体１１０は、例えば、背板１１３と、底板１１４と、上板１１５と、をさらに有する。背板１１３は、側板１１１、１１２の後端に取り付けられ、収納空間ＳＳの後方を塞ぐ。底板１１４は、側板１１１、１１２の下端に取り付けられ、収納空間ＳＳの下方を塞ぐ。上板１１５は、側板１１１、１１２の上端に取り付けられ、収納空間ＳＳの上方を塞ぐ。
【００４６】
このように、キャビネット本体１１０は、前方のみに開放された矩形状の収納空間ＳＳを形成する。これにより、底板１１４の上にも物品を載置することが可能となり、キャビネット１０１の収納性を向上させることができる。また、例えば、収納空間ＳＳに物品を収納する際に、後方に配置されたキャビネット１０４や上方に配置された収納部２２などが視認されてしまうことを抑制することができ、キャビネット１０１の見栄えを向上させることもできる。背板１１３、底板１１４、及び上板１１５は、必要に応じて設けられ、省略可能である。
【００４７】
棚板１２０は、一対の側板１１１、１１２に支持された状態で収納空間ＳＳ内に取り付けられる。棚板１２０は、収納空間ＳＳ内に取り付けられた状態において、上面に物品を載置可能とする。これにより、収納空間ＳＳ内の上下方向の空間を有効的に活用することができ、キャビネット１０１の収納性を向上させることができる。棚板１２０の形状は、収納空間ＳＳの形状に対応する。例えば、上記のように収納空間ＳＳが矩形状である場合、棚板１２０は、上面視において略長方形の平板状に形成される。
【００４８】
この例において、キャビネット１０１は、２つの棚板１２０を有する。キャビネット１０１に設けられる棚板１２０の数は、２つに限ることなく、１つでもよいし、３つ以上でもよい。
【００４９】
棚板１２０は、第１板部１２１と、第２板部１２２と、連結部１２４と、を有する。第２板部１２２は、第１板部１２１の後方に設けられる。連結部１２４は、第１板部１２１と第２板部１２２とを連結する。棚板１２０は、例えば、複数の連結部１２４を有し、複数の連結部１２４によって第１板部１２１と第２板部１２２とを連結する。
【００５０】
このように、棚板１２０は、第１板部１２１及び第２板部１２２を前後方向に分割可能である。各連結部１２４は、例えば、第１板部１２１の底面及び第２板部１２２の底面に取り付けられる板状である。各連結部１２４は、例えば、第１板部１２１の底面にネジ止めされるとともに、第２板部１２２の底面にネジ止めされる。これにより、第１板部１２１と第２板部１２２とが、各連結部１２４を介して互いに連結される。各連結部１２４の構成は、上記に限ることなく、第１板部１２１と第２板部１２２とを連結可能な任意の構成でよい。また、連結部１２４の数は、第１板部１２１と第２板部１２２とを適切に連結することができる任意の数でよい。連結部１２４の数は、１つでもよい。
【００５１】
棚板１２０は、例えば、複数の支持部材１２６によって側板１１１、１１２に支持される。各支持部材１２６は、例えば、棚板１２０の四隅に設けられる。すなわち、各支持部材１２６の数は、例えば、４つである。側板１１１、１１２は、各支持部材１２６に対応して設けられた複数の取付穴１１６を有する。各支持部材１２６は、ピン状の係合部を各取付穴１１６に挿通し、各取付穴１１６と係合することにより、棚板１２０を側板１１１、１１２に支持する。
【００５２】
また、各取付穴１１６は、上下方向に並べて複数設けられている。これにより、支持部材１２６を取り付ける取付穴１１６を選択することで、棚板１２０の取り付け高さを調整することができる。すなわち、使用者の好みの高さに棚板１２０を取り付けることができる。
【００５３】
なお、棚板１２０の支持方法は、上記に限ることなく、棚板１２０を側板１１１、１１２で適切に支持することができる任意の支持方法でよい。
【００５４】
キャビネット１０１では、鉛直方向に延びる配管であるガス管４０の第１部分４０ａが、収納空間ＳＳ内に設けられる可能性がある。配管カバー１３０は、鉛直方向に延びる配管が収納空間ＳＳ内に設けられた場合に、収納空間ＳＳ内に設けられる。この例において、配管カバー１３０は、ガス管４０の第１部分４０ａが収納空間ＳＳ内に設けられた場合に、収納空間ＳＳ内に設けられる。従って、ガス管４０などが設けられていない場合などには、配管カバー１３０は省略可能である。
【００５５】
配管カバー１３０は、例えば、背板１１３に取り付けられる。配管カバー１３０は、収納空間ＳＳ内に設けられた状態において、ガス管４０の第１部分４０ａの前方及び側方を覆う。これにより、配管カバー１３０は、収納空間ＳＳ内に設けられたガス管４０の第１部分４０ａが前方側から視認されてしまうことを抑制する。
【００５６】
特に、前後方向の長さが比較的短い前方側のキャビネット１０１〜１０３では、後方側のキャビネット１０４〜１０６と比べて、収納空間ＳＳ内に設けられた配管などが視認されやすい。従って、キャビネット１０１〜１０３において収納空間ＳＳ内に鉛直方向に延びる配管を設ける場合には、これを隠蔽するために配管カバー１３０を設けることが好ましい。これにより、キャビネット１０１〜１０３の見栄えを向上させることができる。
【００５７】
配管カバー１３０は、背板１１３よりも前方に突出する。一方、棚板１２０の後端は、背板１１３に近接して配置される。棚板１２０が側板１１１、１１２に支持された状態において、棚板１２０の後端は、配管カバー１３０の前端よりも後方に位置する。棚板１２０の後端と背板１１３との間の前後方向の距離は、例えば、３ｍｍ以下である。換言すれば、棚板１２０の後端と背板１１３との間に空く隙間は、３ｍｍ以下である。
【００５８】
このため、収納空間ＳＳ内に配管カバー１３０を設けた場合には、配管カバー１３０を避けるための切り欠き部１２０ａが、棚板１２０の後端に設けられる。これにより、配管カバー１３０を設けた場合にも、キャビネット１０１の収納性や見栄えの低下を抑制しつつ、棚板１２０を収納空間ＳＳ内に取り付けることができる。配管カバー１３０を設けない場合には、切り欠き部１２０ａは、不要である。
【００５９】
配管カバー１３０の形状は、例えば、ガス管４０の形状に対応する。このため、ガス管４０が、側板１１１、１１２のそれぞれと離間して配置された場合には、配管カバー１３０も同様に、側板１１１、１１２のそれぞれと離間して配置される。そして、切り欠き部１２０ａの形状は、配管カバー１３０の形状に対応する。従って、配管カバー１３０が側板１１１、１１２のそれぞれと離間して配置された場合には、切り欠き部１２０ａも側板１１１、１１２のそれぞれと離間した位置に配置される。換言すれば、配管カバー１３０が側板１１１、１１２のそれぞれと離間して配置された場合、切り欠き部１２０ａは、棚板１２０の両側端から離間した位置に配置される。
【００６０】
配管カバー１３０は、棚板１２０の荷重を受ける荷重受け部１３２を有する。荷重受け部１３２は、例えば、配管カバー１３０の側端から側方に突出し、棚板１２０の底面と係合することによって、棚板１２０の荷重を受ける。荷重受け部１３２は、例えば、第２板部１２２の底面と係合する。例えば、荷重受け部１３２を配管カバー１３０の前端から前方に突出させることにより、第１板部１２１の底面と係合させてもよい。荷重受け部１３２は、換言すれば、切り欠き部１２０ａの外縁と係合する。
【００６１】
荷重受け部１３２は、例えば、ピン状である。配管カバー１３０は、例えば、側板１１１、１１２の各取付穴１１６に対応して上下方向に並べて設けられた複数の取付穴を有する。これにより、棚板１２０の取り付け高さに応じて、荷重受け部１３２の位置を容易に変更することができる。荷重受け部１３２は、いわゆるダボである。例えば、棚板１２０の取り付け高さに応じた複数の荷重受け部１３２を配管カバー１３０に設けてもよい。
【００６２】
扉１４０は、キャビネット本体１１０の前方に設けられる。扉１４０は、開閉可能にキャビネット本体１１０に取り付けられ、収納空間ＳＳを塞ぐ閉じ位置（図３（ａ）に表した位置）と、収納空間ＳＳを前方に開放する開き位置と、に移動する。
【００６３】
この例において、キャビネット１０１は、２つの扉１４０を有する。各扉１４０は、例えば、ヒンジを介して回動可能にキャビネット本体１１０に取り付けられた開き戸である。換言すれば、各扉１４０は、いわゆる観音開き式の扉である。
【００６４】
各扉１４０を閉じ位置にすることで、収納空間ＳＳ内への虫や塵埃などの侵入を抑制することができる。また、各扉１４０に木材などの遮光性の材料を用いた場合には、扉１４０を閉じ位置にすることで、収納空間ＳＳ内に収納された物品などを覆い隠すことができる。そして、各扉１４０を開き位置にすることで、収納空間ＳＳ内への物品の収納、及び収納空間ＳＳからの物品の取り出しを行うことができる。
【００６５】
なお、扉１４０は、開き戸に限ることなく、スライド式の扉などでもよい。また、キャビネット１０１に設けられる扉１４０の数は、２つに限ることなく、１つでもよいし、３つ以上でもよい。キャビネット１０１は、必ずしも扉１４０を有しなくてもよい。扉１４０は、必要に応じて設けられ、省略可能である。
【００６６】
図４（ａ）〜図４（ｃ）は、実施形態に係る棚板を模式的に表す斜視図及び断面図である。  
図４（ｂ）及び図４（ｃ）は、図４（ａ）のＡ１−Ａ２線断面を模式的に表している。また、図４（ａ）では、便宜的に連結部１２４の図示を省略している。  
図４（ａ）に表したように、キャビネット本体１１０に取り付ける前の状態（例えば、工場出荷時の状態）において、第２板部１２２の左右方向の長さは、第１板部１２１の左右方向の長さと実質的に同じである。第１板部１２１の左右方向の長さと第２板部１２２の左右方向の長さとの差は、例えば、２ｍｍ以下である。第２板部１２２は、例えば、第１板部１２１の後端全体の後方に設けられる。第２板部１２２は、第１板部１２１と連結された状態において、長方形状の外形を形成する。
【００６７】
第２板部１２２の前後方向の長さは、例えば、配管カバー１３０の前後方向の長さと実質的に同じである（図３参照）。これにより、棚板１２０では、第１板部１２１と第２板部１２２との連結を解除し、第２板部１２２を直線状に切断するだけで、切り欠き部１２０ａを形成することができる。
【００６８】
また、図３（ｂ）及び図３（ｃ）などに表したように、切り欠き部１２０ａを設けた場合には、第２板部１２２が２つに分断される。従って、この場合には、第１板部１２１の後方に、２つの第２板部１２２が設けられているということもできる。あるいは、第１板部１２１の後方に、第２板部１２２と第３板部１２３（図３（ｂ）及び図３（ｃ）参照）とが設けられているということもできる。２つの第２板部１２２は、複数の連結部１２４によって、それぞれ第１板部１２１と連結される。
【００６９】
２つの第２板部１２２は、互いに離間した状態で左右方向に並べて設けられる。一方の第２板部１２２は、第１板部１２１の右端側に設けられる。他方の第２板部１２２（第３板部１２３）は、第１板部１２１の左端側に設けられ、一方の第２板部１２２との間に切り欠き部１２０ａを設ける。一方の第２板部１２２の右端は、第１板部１２１の右端と略面一である。他方の第２板部１２２の左端は、第１板部１２１の左端と略面一である。ここで、「略面一」とは、例えば、隣接する２つの面に生じる高さの差が、２ｍｍ以下の状態である。
【００７０】
第２板部１２２の前後方向の長さから配管カバー１３０の前後方向の長さを差し引いた差の長さは、例えば、２ｍｍ以下である。これにより、第２板部１２２を切断して切り欠き部１２０ａを形成した際に、第１板部１２１と配管カバー１３０との間に空く前後方向の隙間を２ｍｍ以下にすることができる。但し、第２板部１２２の前後方向の長さは、配管カバー１３０の前後方向の長さよりも長ければよい。これにより、上記のように、切り欠き部１２０ａを形成し易くすることができる。
【００７１】
図４（ａ）〜図４（ｃ）に表したように、棚板１２０は、第１板部１２１と第２板部１２２との連結の際などに、第１板部１２１と第２板部１２２との位置を合わせるための連結ガイド１２８を有する。棚板１２０は、例えば、左右方向に並べて設けられた複数の連結ガイド１２８を有する。
【００７２】
連結ガイド１２８は、例えば、係合部１２８ａと、被係合部１２８ｂと、を有する。被係合部１２８ｂは、第１板部１２１の後端に設けられている。係合部１２８ａは、第２板部１２２の前端に設けられ、第１板部１２１の後端に設けられた被係合部１２８ｂと係合する。このように、連結ガイド１２８は、例えば、係合部１２８ａと被係合部１２８ｂとの係合により、第１板部１２１と第２板部１２２との位置を合わせる。連結ガイド１２８は、例えば、第１板部１２１と第２板部１２２との上下方向及び左右方向の位置を合わせる。
【００７３】
これにより、連結部１２４で第１板部１２１と第２板部１２２とを連結する前に、第１板部１２１と第２板部１２２との位置を合わせ易くすることができる。特に、複数の連結ガイド１２８を設けることにより、切り欠き部１２０ａを設けるために第２板部１２２を２つに分断した場合などにも、２つの第２板部１２２と第１板部１２１とのそれぞれの位置を合わせやすくすることができる。換言すれば、第１板部１２１に対する第２板部１２２の取付位置を一義的に決めることができる。このように、連結ガイド１２８は、例えば、第１板部１２１と第２板部１２２との位置を合わせることにより、第１板部１２１に対する第２板部１２２の取付位置を一義的に決める。
【００７４】
この例において、係合部１２８ａは、凸状であり、被係合部１２８ｂは、凹状である。係合部１２８ａは、例えば、ダボであり、被係合部１２８ｂは、例えば、ダボ穴である。これとは反対に、係合部１２８ａを凹状とし、被係合部１２８ｂを凸状としてもよい。連結ガイド１２８の構成は、第１板部１２１と第２板部１２２との位置を合わせ易くすることができる任意の構成でよい。
【００７５】
第１板部１２１は、後方に向かうに従って下降傾斜する傾斜部１２１ａを後端上部に有する。第２板部１２２は、前方に向かうに従って下降傾斜する傾斜部１２２ａを前端上部に有する。傾斜部１２１ａ、１２２ａは、傾斜面状でもよいし、凸曲面状でもよい。傾斜部１２１ａ、１２２ａは、いわゆるＣ面取りでもよいし、Ｒ面取りでもよい。
【００７６】
以上、説明したように、本実施形態に係るキャビネット１０１では、棚板１２０が前後方向に分割可能であるため、収納空間ＳＳ内に鉛直方向に延びる配管（例えばガス管４０）が設けられている場合にも、例えば、配管の位置に合わせて第２板部１２２を切断し、その後連結部１２４によって第１板部１２１と第２板部１２２とを連結するだけで、棚板１２０の取り付けが可能となる。このように、第２板部１２２を直線状に切断するという簡単な加工で、棚板１２０の取り付けを行うことができ、棚板１２０に対して凹状の切り欠きを形成する場合などと比べて、現場での作業を簡単にすることができる。従って、棚板１２０を設けて収納性を向上させる場合にも、高い施工性を得ることができるキャビネット１０１を提供することができる。
【００７７】
また、キャビネット１０１では、棚板１２０が連結ガイド１２８を有するため、第１板部１２１と第２板部１２２とを連結する際に、第１板部１２１と第２板部１２２との位置関係がずれてしまうことを抑制することができる。従って、キッチンキャビネット１０１の施工性をより向上させることができる。
【００７８】
また、キャビネット１０１では、配管カバー１３０が棚板１２０の荷重を受ける荷重受け部１３２を有するため、例えば、配管を避けるために第２板部１２２の一端を切断し、第２板部１２２の切断された側の端部の荷重を側板１１１、１１２で受けることができない場合であっても、配管カバー１３０の荷重受け部１３２で第２板部１２２の荷重を受けることが可能になる。従って、棚板１２０が収納物の重さで落下したり、変形したりしてしまうことを抑制することができる。
【００７９】
また、キャビネット１０１では、第２板部１２２の前端上部に前方に向かうに従って下降傾斜する傾斜部１２２ａを設けたことにより、第１板部１２１と第２板部１２２とを連結部１２４で連結した際に、第２板部１２２が第１板部１２１よりも高くなるように段差が生じた場合にも、収納物が段差に引っ掛かることを抑制し、収納物をスムーズに出し入れすることができる。
【００８０】
さらに、キャビネット１０１では、第１板部１２１の後端上部に後方に向かうに従って下降傾斜する傾斜部１２１ａを設けたことにより、第１板部１２１と第２板部１２２とを連結部１２４で連結した際に、第１板部１２１が第２板部１２２よりも高くなるように段差が生じた場合にも、収納物が段差に引っ掛かることを抑制し、収納物をスムーズに出し入れすることができる。
【００８１】
各傾斜部１２１ａ、１２２ａの前後方向の長さ及び上下方向の長さ（面取りの寸法）は、例えば、０．３ｍｍ（０．２ｍｍ以上０．４ｍｍ以下）である。これにより、収納物の引っ掛かりを適切に抑制して収納物の出し入れをスムーズにすることができるとともに、各傾斜部１２１ａ、１２２ａが大きくなり過ぎて棚板１２０の見栄えが低下してしまうことなどを適切に抑制することができる。
【００８２】
図５は、実施形態に係るキッチンキャビネットの変形例を模式的に表す斜視図である。  なお、上記実施形態と機能・構成上実質的に同じものについては、同符号を付し、詳細な説明を省略する。  
図５に表したように、この例では、配管カバー１３０ａの一方の側端が、一方の側板１１２まで延びている。配管カバー１３０ａの一方の側端は、一方の側板１１２に近接する。配管カバー１３０ａの一方の側端と側板１１２との間の左右方向の距離は、例えば、２ｍｍ以下である。配管カバー１３０ａの一方の側端は、例えば、側板１１２に接触する。
【００８３】
収納空間ＳＳ内に設けられる配管の位置は、ある程度決まっている場合がある。例えば、ガスコンロのガス供給口は、一般的にガスコンロの向かって左側に配置され、製造メーカや機種などが変わったとしても、ガス供給口の左右方向の位置は、あまり大きく変化しない。このため、ガス管４０の位置も、収納空間ＳＳ内において左側に寄せて配置され、あまり大きく変化しない可能性がある。
【００８４】
このような場合には、この例で表したように、配管カバー１３０ａの一方の側端を、一方の側板１１２まで延ばすようにしてもよい。すなわち、配管の位置に合わせて配管カバーの位置を調整するのではなく、キャビネット本体１１０に対して決まった位置に取り付けられる配管カバー１３０ａの中で、配管の位置を変化させるようにしてもよい。
【００８５】
このように、配管カバー１３０ａでは、配管カバー１３０ａの位置調整の手間を省くことができ、キャビネット１０１の施工性をより向上させることができる。そして、このように構成された配管カバー１３０ａを設けた場合でも、第２板部１２２を直線状に切断することにより、棚板１２０の取り付けを行うことができる。
【００８６】
また、図３などに表した配管カバー１３０を収納空間ＳＳ内に設ける場合には、第２板部１２２を２回切断し、２つに分断した第２板部１２２をそれぞれ第１板部１２１と連結する必要がある。これに対して、配管カバー１３０ａを収納空間ＳＳ内に設けた場合には、第２板部１２２を１回切断し、短くした１つの第２板部１２２を第１板部１２１と連結することで棚板１２０の取り付けを行うことができ、キャビネット１０１の施工性をさらに向上させることができる。
【００８７】
一方で、配管の取付位置が大きく変化する可能性がある場合などには、上記の配管カバー１３０のように、配管に合わせて位置を調整し、配管のみを覆うようにすることが好ましい。これにより、例えば、配管カバー１３０ａによって収納空間ＳＳの容積を無駄に狭めてしまうことを抑制することができる。キャビネット１０１において、より良好な収納性を得ることができる。
【００８８】
配管カバー１３０ａは、配管カバー１３０と同様に、棚板１２０の荷重を受ける荷重受け部１３２を有する。この例において、荷重受け部１３２は、配管カバー１３０ａの側端から側方に突出し、第２板部１２２の底面と係合することにより、第２板部１２２の荷重を受ける。
【００８９】
配管カバー１３０ａの一方の側端を一方の側板１１２まで延ばした場合には、切断した第２板部１２２を第１板部１２１と連結した後にも、棚板１２０の四隅に設けられる４つの支持部材１２６のうちの１つが取り付けられなくなってしまう。
【００９０】
従って、配管カバー１３０ａを用いる場合には、配管カバー１３０ａに荷重受け部１３２を設けることが好適である。これにより、１つの支持部材１２６が取り付けられなくなったとしても、残り３つの支持部材１２６と荷重受け部１３２との４点で棚板１２０の荷重を受けることができ、棚板１２０の落下や変形などを適切に抑制することができる。
【００９１】
図６（ａ）及び図６（ｂ）は、実施形態に係る棚板の変形例を模式的に表す平面図である。  
図６（ａ）及び図６（ｂ）に表したように、第２板部１２２は、第１板部１２１の一部の後方に設けてもよい。
【００９２】
この例において、第１板部１２１は、第１領域Ｒ１と、第２領域Ｒ２と、を有する。第１領域Ｒ１及び第２領域Ｒ２は、矩形状である。第２領域Ｒ２は、第１領域Ｒ１と左右方向に並び、第１領域Ｒ１よりも後方に延びる。また、第２領域Ｒ２の前端は、第１領域Ｒ１の前端と面一である。第２板部１２２の左右方向の長さは、第１領域Ｒ１の左右方向の長さと実質的に同じである。第２板部１２２の前後方向の長さは、第１領域Ｒ１と第２領域Ｒ２との前後方向の長さの差と実質的に同じである。第２板部１２２は、第１板部１２１の第１領域Ｒ１の後方に設けられる。これにより、上記実施形態と同様に、第１板部１２１と第２板部１２２とを連結することで、上面視において長方形状の棚板１２０を形成することができる。
【００９３】
例えば、図５に表したように、配管カバー１３０ａの取付位置が予め決まっている場合には、第２板部１２２の左右方向の長さも予め決めることができる。従って、このような場合には、第２板部１２２を予め配管カバー１３０ａに対応した形状とする。
【００９４】
これにより、この例の棚板１２０では、収納空間ＳＳ内に配管カバー１３０ａを設ける際に、第２板部１２２を取り外すだけで、棚板１２０の取り付けが可能となる。従って、キャビネット１０１の施工性をより向上させることができる。
【００９５】
また、この例において、配管カバー１３０ａの荷重受け部１３２は、配管カバー１３０ａの側端から側方に突出し、第１板部１２１の第２領域Ｒ２の底面と係合することにより、棚板１２０（第１板部１２１）の荷重を受ける。これにより、上記と同様に、４点で棚板１２０の荷重を受けることができ、棚板１２０の落下や変形などを適切に抑制することができる。
【００９６】
図７（ａ）及び図７（ｂ）は、実施形態に係る連結部の変形例を模式的に表す断面図である。  
図７（ａ）及び図７（ｂ）に表したように、この例において、連結部１２４は、第１嵌合部ＦＴ１と、第２嵌合部ＦＴ２と、を有する。第１嵌合部ＦＴ１は、前方側に向けて設けられ、第１板部１２１を上下に挟んで第１板部１２１と嵌合する。第２嵌合部ＦＴ２は、後方側に向けて設けられ、第２板部１２２を上下に挟んで第２板部１２２と嵌合する。
【００９７】
この例において、連結部１２４は、第１板部１２１及び第２板部１２２のそれぞれと嵌合して第１板部１２１と第２板部１２２とを連結する断面略Ｈ字状の部材である。このように、連結部１２４の構成は、ダボ状のものやＨ字状のものなど、第１板部１２１と第２板部１２２とを連結することができる任意の構成でよい。
【００９８】
また、断面略Ｈ字状の部材は、例えば、連結ガイド１２８として用いてもよい。例えば、第１板部１２１と第１嵌合部ＦＴ１との嵌合、及び第２板部１２２と第２嵌合部ＦＴ２との嵌合をきつくすることにより、第１板部１２１に対する第２板部１２２の上下左右の位置を摩擦によって決めることができる。このように、連結ガイド１２８の構成もまた、第１板部１２１と第２板部１２２との位置を合わせ易くすることができる任意の構成でよい。但し、連結ガイド１２８は、ダボなどのように、第１板部１２１と第２板部１２２との位置を合わせることにより、第１板部１２１に対する第２板部１２２の取付位置を一義的に決めることのできる構成であることが、より好ましい。
【００９９】
上記各実施形態では、前後に分割可能な棚板１２０を設けるキッチンキャビネットの一例として、コンロ２０用のキャビネット１０４の前方に設けられるキャビネット１０１を示している。棚板１２０を設けるキャビネットは、キャビネット１０１に限ることなく、例えば、前方側を向く他のキャビネット１０２、１０３でもよいし、後方側を向くキャビネット１０４〜１０６でもよい。キャビネット１０２〜１０６の構成は、キャビネット１０１と同じでもよいし、異なってもよい。棚板１２０を設けるキャビネットは、システムキッチン１０に組み込まれて使用される任意のキャビネットでよい。
【０１００】
収納空間ＳＳ内に設けられる配管は、ガス管４０に限ることなく、排水管４２、給水管４４、又は給湯管４６などでもよい。収納空間ＳＳ内に設けられる配管は、システムキッチン１０に用いられる任意の配管でよい。
【０１０１】
上記各実施形態では、対面式のシステムキッチン１０を示している。キャビネットの組み込まれるシステムキッチンは、対面式に限ることなく、例えば、キッチンの壁面を向くように取り付けられる、いわゆるクローズドタイプのシステムキッチンなどでもよい。キャビネットの組み込まれるシステムキッチンは、任意の構成のシステムキッチンでよい。
【０１０２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、キャビネット１０１などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０３】
１０ システムキッチン、  １２ カウンタ、  １４ シンク、  １６ キャビネット部、  １８ 水栓、  ２０ コンロ、  ２２ 収納部、  ４０ ガス管、  ４２ 排水管、  ４４ 給水管、  ４６ 給湯管、  １０１〜１０６ キッチンキャビネット、  １１０ キャビネット本体、  １１１ 側板、  １１２ 側板、  １１３ 背板、  １１４ 底板、  １１５ 上板、  １１６ 取付穴、  １２０ 棚板、  １２１ 第１板部、  １２２ 第２板部、  １２３ 第３板部、  １２４ 連結部、  １２６ 支持部材、  １２８ 連結ガイド、  １３０ 配管カバー、  １３２ 荷重受け部、  １４０ 扉
【図１】
2019130076.tif 000003
【図２】
2019130076.tif 000004
【図３】
2019130076.tif 000005
【図４】
2019130076.tif 000006
【図５】
2019130076.tif 000007
【図６】
2019130076.tif 000008
【図７】
2019130076.tif 000009